(57)【要約】【課題】  発光体による表示や装飾に対し、コントラストを高めた太陽光発電装置を提供する。【解決手段】  複数個の太陽電池素子１６を面状に並べ、これら各太陽電池素子１６の間に発光体２３を配置して、これらの太陽電池素子１６を背面にして発光体２３を発光させるように成した太陽電池モジュール１５を備えた太陽光発電装置である。そして、複数個の太陽電池素子１６と発光体２３との間に、光透過孔Ｈを形成して成る遮光性シートもしくは遮光板を配設し、これら光透過孔Ｈのうち不要な箇所に対し、光を遮るべく遮光部Ｓを設けて、発光体の配置部位に対応して光透過孔Ｈを配する。【選択図】  図１
2005136111.tif 000002
【特許請求の範囲】
【請求項１】
複数個の太陽電池素子を面状に並べ、これら各太陽電池素子の間の受光面とは反対側に発光体を配置して、隣接する太陽電池素子の隙間を通して発光体を発光させるように成した太陽電池モジュールを備え、複数個の太陽電池素子と発光体との間に、光透過孔を形成して成る遮光性シートもしくは遮光板を配設し、さらにこれら光透過孔のうち不要な箇所に対し、光を遮るべく遮光部を設けて、上記発光体の配置部位に対応して光透過孔を配するように成したことを特徴とする太陽光発電装置。
【請求項２】
複数個の太陽電池素子を面状に並べ、これら各太陽電池素子の間の受光面とは反対側に発光体を配置して、隣接する太陽電池素子の隙間を通して発光体を発光させるように成した太陽電池モジュールを備え、複数個の太陽電池素子と発光体との間に、着脱自在の遮光部を配するように成した光透過孔を有する遮光性シートもしくは遮光板を配設し、さらにこれら光透過孔のうち所要の光透過孔に対し遮光部を取去って、上記発光体の配置部位に対応して光透過孔を配するように成したことを特徴とする太陽光発電装置。
【請求項３】
前記複数個の太陽電池素子をマトリックス状に配列したことを特徴とする請求項１または２に記載の太陽光発電装置。
【請求項４】
前記複数個の太陽電池素子を千鳥状に配列したことを特徴とする請求項１または２に記載の太陽光発電装置。
【請求項５】
前記太陽電池モジュールならびに該太陽電池モジュールを支持する枠体を備えたことを特徴とする請求項１ないし４のいずれかに記載の太陽光発電装置。
【請求項６】
前記発光体がＬＥＤであることを特徴とする請求項１ないし５のいずれかに記載の太陽光発電装置。
【請求項７】
請求項１ないし６のいずれかに記載の太陽光発電装置と、この太陽光発電装置を固定する架台とを有し、さらに前記太陽光発電装置を、この下側より光入射されるように架台に取付けることを特徴とする太陽光発電システム。
【発明の詳細な説明】
【技術分野】
【０００１】
本発明は複数個の太陽電池素子を面状に並べて成る太陽光発電装置に関し、とくにこれら太陽電池素子を背面にしてＬＥＤなどの発光体を配し、そして、表示性や装飾性を得るようにした太陽光発電装置に関するものである。さらにこの太陽光発電装置を取付ける太陽光発電システムに関するものである。
【背景技術】
【０００２】
一般的に太陽光発電装置は、住宅の屋根などに太陽電池アレイを配置し、そして、太陽光を光電変換し、電力を得るというものである。
【０００３】
この使用例を図９と図１０により説明する。
【０００４】
図９は住宅１の屋根などに太陽光発電装置２を配置した場合を示し、図１０はこの太陽光発電装置２において、その太陽電池アレイ３を構成する個々の太陽電池モジュール４の概略断面図である。
【０００５】
図９に示す太陽光発電装置２によれば、太陽電池モジュール４を複数配設して太陽電池アレイ３となし、そして、この太陽電池アレイ３で発電された電力を送電ケーブル５および接続箱６を通して系統連系インバータ７へ送電する。
【０００６】
さらに詳しく述べると、この太陽電池アレイ３によれば、複数枚の太陽電池モジュール４を直列に接続してストリングとするが、このストリングを１列にしたり、もしくは２列以上集めている。
【０００７】
上記送電ケーブル５の電線は、このようなストリングの数に応じて設けるが、送電ケーブル５の電線を接続箱６で並列接続し、そして、太陽電池アレイ３で発電された直流電力を交流電力に変換する系統連系インバータ７に入力し、一般の交流負荷に供給したり、もしくは系統連系により電力会社へ売電することができる。
【０００８】
図１０に示す太陽電池モジュール４によれば、８は太陽電池素子であり、たとえばシリコン等から成る半導体の光電変換効果を利用して電力が得られるように構成したものであって、このような太陽電池素子８を複数個直列および並列に電気的に接続し、そして、耐候性のある素材で覆うように成し、所要の出力電圧や出力電流を得るようにしている。
【０００９】
かかる太陽電池モジュール４においては、太陽電池素子８の受光面にはガラス板や合成樹脂板などの光透過板９を配置し、その裏面である非受光面にはテフロン（R)フィルムやＰＶＦ（ポリフッ化ビニル）、ＰＥＴ（ポレエチレンテレフタレート）などの耐候性フィルム１０を被着し、そして、これら光透過板９、太陽電池素子８および耐候性フィルム１０の重ね構造の矩形状の本体に対し、その各辺周囲をアルミニウム金属やＳＵＳ等から成る枠体１１を挟み込むように装着し、太陽電池モジュール４全体の強度を高めている。
【００１０】
また、太陽電池モジュール４の裏面には、すなわち耐候性フィルム１０の上にはＡＢＳ樹脂などの合成樹脂やアルミニウム金属などで構成したジャンクションボックス１２を接着し、太陽電池モジュール４の出力電力を取り出すターミナルと成す。
【００１１】
以上のとおり、一般的には太陽光発電装置２は、太陽光を電気に変換する発電用として用いる。
【００１２】
しかしながら、近年、上記のごとく、太陽電池モジュールの内部に複数個の同形の太陽電池素子を並べた構成を利用し、一部の太陽電池素子の色を他の素子の色と違えることで、太陽電池モジュール（または太陽電池アレイ）上に文字や模様を構築し、意匠性を備えさせる技術が提案されている。さらに特許文献１によれば、夜間において視認できるように、受光面側にガラス板を配置し、その端部にＬＥＤを設け、そして、このＬＥＤにて太陽電池モジュールの受光面を発光させる技術も提案されている。
【００１３】
図１１に特許文献１に記載した太陽電池モジュールのごとく、受光面側のガラス板の端部にＬＥＤを設けた構成を示す。
【００１４】
同図はこの太陽電池モジュール１３の概略断面図である。なお、図１０に示す太陽電池モジュール４と同一箇所には同一符号を記す。
【００１５】
この太陽電池モジュール１３においては、光透過板９の端面に向かってＬＥＤ１４を配置しており、その他の構成は図７に示す太陽電池モジュール４と同じである。
【００１６】
上記構成の太陽電池モジュール１３によれば、ＬＥＤ１４にて光透過板９の端面を照射したことで、太陽電池素子８に対し夜間にてライトアップができる。
【００１７】
参考までに意匠性を備えた太陽電池モジュールではないが、ＬＥＤなどの発光体を太陽電池モジュールに組み込んだ公知技術を述べる。
【００１８】
特許文献２に示す安全警告灯においては、省電力の発光ダイオ−ドを用いることで、そして、蓄電池と組み合わせることで、その発光ダイオ−ドに対し蓄電池からの電気を供給させ発光させることが記載されている。
【００１９】
また、特許文献３によれば、太陽電池モジュール内に発光体を組み込み、そして、太陽電池モジュールの故障が生じた場合に、その発光体の発光でもって故障を表示し、これにより、異常が生じている太陽電池モジュールを特定する作業が容易になり、その結果、従来のごとく、正常な発電への迅速な回復することに対し、多くの時間と労力を要するという課題を解消できたことが提案されている。
【特許文献１】特開２００３−９２００８号公報
【特許文献２】実開平６−８６１８７号公報
【特許文献３】特開平９−１４８６１３号公報
【発明の開示】
【発明が解決しようとする課題】
【００２０】
上述した特許文献１の太陽電池モジュールによれば、受光面側のガラス板の端部にＬＥＤを設けることで、太陽電池素子に対し夜間にてライトアップができるという技術であって、ＬＥＤ自体でもって表示する機能を備えていない。
【００２１】
このように太陽電池モジュールに対し、ＬＥＤを用いる場合には、かかる太陽電池素子に対するライトアップや、特許文献２や特許文献３のごとく信号表示にて用いるのであって、複数個のＬＥＤを配列することで、表示性や装飾性を高めるように工夫する技術は、いまだ提案されていないのである。
【００２２】
本発明者は上記事情に鑑みて鋭意研究に努めた結果、複数個の太陽電池素子を面状に並べた太陽電池素子群に対し、さらにこれら各太陽電池素子の間に発光体を配置することで、個々の発光体の点灯に対し、その傍に配置した太陽電池素子群が背面と成り、それらの点灯がより顕著になり、コントラストを高め、優れた表示性や装飾性が得られることを見出した。
【００２３】
したがって本発明は上記知見により完成されたものであり、その目的は発光体による表示や装飾に対し、コントラストを高めた太陽光発電装置を提供することにある。
【００２４】
本発明の他の目的は昼間でも優れた表示性や装飾性が得られる太陽光発電装置を提供することにある。
【００２５】
本発明のさらに他の目的は輝度を高めた太陽光発電装置を提供することにある。
【００２６】
また、本発明の他の目的は利用者の所望どおりに優れた表示性や装飾性を達成した太陽光発電装置を提供することにある。
【００２７】
本発明の目的は、かかる本発明の太陽光発電装置を架台に取付ける当り、その架台側からの不要な光を遮るようにした太陽光発電システムを提供することにある。
【課題を解決するための手段】
【００２８】
本発明の太陽光発電装置は、複数個の太陽電池素子を面状に並べ、これら各太陽電池素子の間の受光面とは反対側に発光体を配置して、隣接する太陽電池素子の隙間を通して発光体を発光させるように成した太陽電池モジュールを備え、複数個の太陽電池素子と発光体との間に、光透過孔を形成して成る遮光性シートもしくは遮光板を配設し、さらにこれら光透過孔のうち不要な箇所に対し、光を遮るべく遮光部を設けて、上記発光体の配置部位に対応して光透過孔を配するように成したことを特徴とする。
【００２９】
また、本発明の太陽光発電装置は、複数個の太陽電池素子を面状に並べ、これら各太陽電池素子の間の受光面とは反対側に発光体を配置して、隣接する太陽電池素子の隙間を通して発光体を発光させるように成した太陽電池モジュールを備え、複数個の太陽電池素子と発光体との間に、着脱自在の遮光部を配するように成した光透過孔を形成した遮光性シートもしくは遮光板を配設し、さらにこれら光透過孔のうち所要の光透過孔に対し遮光部を取去って、上記発光体の配置部位に対応して光透過孔を配するように成したことを特徴とする。
【００３０】
本発明の他の太陽光発電装置は、前記複数個の太陽電池素子をマトリックス状に配列したことを特徴とする。
【００３１】
本発明の他の太陽光発電装置は、前記複数個の太陽電池素子を千鳥状に配列したことを特徴とする。
【００３２】
また、本発明の太陽光発電装置は、前記太陽電池モジュールおよびこの太陽電池モジュールを支持する枠体を備えたことを特徴とする。
【００３３】
さらにまた、本発明の太陽光発電装置は、前記太陽電池モジュールが三角形状、矩形状、台形状もしくは多角形状であることを特徴とする。
【００３４】
本発明の太陽光発電装置は、前記太陽電池モジュールが円形もしくは楕円形であることを特徴とする。
【００３５】
本発明の他の太陽光発電装置は、前記発光体がＬＥＤであることを特徴とする。
【００３６】
本発明の太陽光発電システムは、本発明の太陽光発電装置と、この太陽光発電装置を固定する架台とを有し、さらに前記太陽光発電装置を、この下側より光入射されるように架台に取付けることを特徴とする。
【発明の効果】
【００３７】
以上のとおり、本発明の太陽光発電装置および太陽光発電システムによれば、上記構成のごとく、複数個の太陽電池素子を面状に並べ、これら各太陽電池素子の間に太陽電池素子を背面にして発光体を配置したことで、その太陽電池素子の色調が背面となって、発光体の輝度を高め、コントラストを向上させることができた。
【００３８】
とくに、太陽電池素子と発光体との間に、上記構成のごとき、光透過孔を形成して成る遮光性シートもしくは遮光板を配設したことで、このような光透過孔により光照射を絞ることができ、これに伴って輝度をさらに高めることができた。
【００３９】
加えて、本発明によれば、このような遮光性シートもしくは遮光板を配設するに当り、さらにこれら光透過孔のうち不要な箇所に対し、光を遮るべく遮光部を設けて、上記発光体の配置部位に対応して光透過孔を配するように成したり、あるいは着脱自在の遮光部を配するように成した光透過孔を形成した遮光性シートもしくは遮光板を用いることで、これら光透過孔のうち所要の光透過孔に対し遮光部を取去って、上記発光体の配置部位に対応して光透過孔を配するように成したことで、さまざまな要望に応じた表示や装飾が得られる。
【００４０】
このように汎用性を高めることに加えて、さらに利用者が後日の発光位置を変更したいという要望があった場合に、そのような対応にも適用できる。
【００４１】
また、本発明によれば、複数個の太陽電池素子をマトリックス状に並べたり、もしくは千鳥状に並べたことで、あるいは、太陽電池モジュールを三角形状、矩形状、台形状もしくは多角形状にしたり、円形もしくは楕円形にすることで、その外観をさまざまな様相にでき、そして、これら様相を背面にし、さらに発光体を各太陽電池素子の間に配置することで、優れた表示性や装飾性が得られた。
【発明を実施するための最良の形態】
【００４２】
以下に、本発明に係る太陽光発電装置の実施形態について、図面に基づき詳細に説明する。
【００４３】
はじめに各図を説明する。
【００４４】
図１は本発明の太陽光発電装置の太陽電池モジュール１５を模式的に説明する概略断面図、図２はこの太陽電池モジュール１５の要部拡大図、図３は発光体と遮光部との組合せ、さらに光透過孔を形成して成る遮光性シートもしくは遮光板、ならびに太陽電池モジュールという三者の配置構造を示す斜視図である。
【００４５】
図４は太陽電池モジュール１５において発光体の取り付け可能な領域（同図中、斜線部分にて示す）を示す上面図であり、図５はこの太陽電池モジュール１５に用いる遮光性シートもしくは遮光板である。また、図６は本発明の太陽光発電装置の太陽電池モジュール１５において、外来光が太陽電池素子で遮られ、さらに遮光性シートもしくは遮光板における光透過孔による光透過の様子を説明する一部透視図である。さらにまた、図７は本発明の太陽光発電システムを示す斜視図である。また、図８は本発明に係る太陽光発電装置の発光体への配線を説明する配線図である。
【００４６】
これら各図でもって、以下、詳述する。
【００４７】
本発明の太陽光発電装置においても、たとえば図９に示すごとく、住宅１の屋根などに太陽光発電装置を配置する。
【００４８】
以下、この太陽光発電装置を構成する太陽電池モジュール１５について述べる。
【００４９】
図１に示すように、太陽電池モジュール１５は主にシリコン等から成る太陽電池素子１６（１６ａ〜１６ｅ）を所定の枚数を直列および並列に接続して成り、任意の出力電圧，出力電流を得るようにしている。
【００５０】
本例においては、複数個の太陽電池素子１６（１６ａ〜１６ｅ）をマトリックス状に配列する。この太陽電池素子は単結晶や多結晶シリコンなどの結晶系太陽電池や、薄膜系太陽電池などにより構成する。
【００５１】
これら太陽電池素子１６の受光面にはガラス板や合成樹脂板などの光透過板１７を配置し、他方の非受光面（裏面）には光透過孔Ｈを形成して成る遮光性シートもしくは遮光板を被着する。
【００５２】
本例によれば、遮光性シートである場合には、合成樹脂材やアルミニウムなどの金属材でもって薄膜化し、遮光性を保持させながら薄膜化すればよい。
【００５３】
たとえば、テフロン（R)フィルムやＰＶＦ（ポリフッ化ビニル）、ＰＥＴ（ポレエチレンテレフタレート）などの合成樹脂材については、これに対し、ＰＥＴ−アルミニウム箔−ＰＥＴのように遮光性物質であるアルミニウム箔を中間層とすることで遮光性と絶縁性を兼ね備えるような構成にする。
【００５４】
その他、ＰＥＴ−ＰＥＴ−ＰＥＴの３層ＰＥＴ構造でもよく、この構成においては、中間のＰＥＴに対し塗料や顔料を用いて遮光性を具備させるように着色を施すとよい。なお、このような多層構造であるのは、それぞれの層が絶縁、着色、防湿のように特性の違った組成のＰＥＴにすればよい。
【００５５】
また、遮光板である場合には、遮光性を備えた金属板やセラミック板あるいは合成樹脂板を用いればよい。
【００５６】
そして、このような遮光性シートもしくは遮光板に対し、発光体２３の配置部位に対応して光透過孔Ｈを形成する。
【００５７】
本例においては、光透過性のあるテフロン（R)フィルムやＰＶＦ（ポリフッ化ビニル）、ＰＥＴ（ポレエチレンテレフタレート）などの合成樹脂材に対し、すでに光透過孔Ｈを形成して成る塗料や顔料で遮光性となる着色したテフロン（R)フィルム等を後付けすることで、遮光性を具備させた耐候性フィルム１８を、前記遮光性シートとして被着させている。
【００５８】
そして、光透過板１７と耐候性フィルム１８との間には、たとえばＥＶＡ（エチレン−酢酸ビニル共重合樹脂）などから成る透明な合成樹脂を介在し、充填材１９と成している。
【００５９】
また、光透過孔Ｈを形成して成る耐候性フィルム１８において、さらにこれら光透過孔Ｈのうち不要な箇所に対し、光を遮るべく遮光部Ｓを設けるように成している。
【００６０】
このように適宜、遮光部Ｓを設けることで、発光体２３の配置部位に対応して光透過孔Ｈを配するように成している。
【００６１】
かかる遮光部Ｓが遮光性シートである場合には、合成樹脂材やアルミニウムなどの金属材でもって薄膜化し、遮光性を保持させながら薄膜化すればよい。
【００６２】
遮光部Ｓが遮光板である場合には、遮光性を備えた金属板やセラミック板あるいは合成樹脂板を用いればよい。たとえばアルミニウムの板にドリルで光透過孔Ｈをあけたものでもよいし、プレス加工で光透過孔Ｈを一体成型してもよい。また、セラミック板のほかに木材やプラスチック、アクリルやポリカーボネイトなどの樹脂板でもよく、着色された素材に穴あけ加工やプレス加工によって光透過孔Ｈが形成されていれば、同様の本発明の効果が得られる。また、板状の遮光板である場合には板厚の厚いものであれば、発光体を埋め込む等の保持手段としても兼用ができる。
【００６３】
また、板厚が薄くても爪部などの発光体の保持部を設けることで、発光体の取付が容易となり、保持部が着脱構造であれば、着脱によるメンテナンス（交換、光配列の変更）性も向上する。
【００６４】
さらにまた、遮光部Ｓを固定する方法として、太陽電池モジュールの裏面へ接着剤等で接着してもよいが、その他、太陽電池モジュール枠にネジやボルトで固定したり、もしくはマジックテープを用いて着脱可能とする構成でもよい。また、枠に止め金具を設けてバネなどでもって押圧し固定されるようにして着脱する構造としてもよく、あるいは遮光板側に留め金などを設けてもよい。
【００６５】
本例によれば、間隙２２ａに対応して発光体２３ａを、間隙２２ｂに対応して発光体２３ｂを、間隙２２ｃに対応して発光体２３ｃを、間隙２２ｄに対応して発光体２３ｄを配置する。
【００６６】
これら発光体２３（２３ａ〜２３ｅ）は、たとえばＬＥＤ（発光ダイオード）やランプがある。
【００６７】
また、間隙２２ａ（発光体２３ａ）に対応して光透過孔Ｈａを、間隙２２ｂ（発光体２３ｂ）に対応して光透過孔Ｈｂを、間隙２２ｃに対応して光透過孔Ｈｃを、間隙２２ｄ（発光体２３ｄ）に対応して光透過孔Ｈｄを配置する。
【００６８】
そして、これら発光体２３（２３ａ、２３ｂ、２３ｄ）を耐候性フィルム１８上に、アクリル系両面接着テープや、アクリル系接着剤、シリコン系接着材（樹脂）などから成る接着部材にて取り付ける。これら接着材は、耐候性が良く、しかも、後の取り外しが容易であるという点でよい。たとえば、３Ｍ社のＶＨＢテープが好適である。
【００６９】
このような構成の太陽電池モジュール１５において、さらに非受光面（裏面）側の耐候性フィルム１８の外側には、ＡＢＳ樹脂やアルミニウム金属などから成るジャンクションボックス２０を接着している。そして、このジャンクションボックス２０を通して出力電力を取り出すようにターミナルとしている。
【００７０】
また、かかる太陽電池モジュール１５によれば、通常、矩形状を成すが、その本体の周囲四方を挟み込む枠体２１を設け、そして、枠体２１でもって太陽電池モジュール１５の本体を支持し、全体の強度を向上させている。
【００７１】
このような枠体２１は、たとえばアルミニウム金属やＳＵＳ等により構成する。
【００７２】
上述したごとく、太陽電池素子１６（１６ａ〜１６ｅ）を所定の枚数を直列および並列に接続して成るが、所定の出力電力を得るために直列および並列数を定める。
【００７３】
そして、このような配列においては、隣り合う太陽電池素子１６（１６ａ〜１６ｅ）同士の正極、負極の配線や短絡防止のために隙間２２が設けられる。
【００７４】
たとえば、太陽電池素子１６ａと太陽電池素子１６ｂとの間には間隙２２ａ、太陽電池素子１６ｂと太陽電池素子１６ｃとの間には間隙２２ｂ、太陽電池素子１６ｃと太陽電池素子１６ｄとの間には間隙２２ｃ、太陽電池素子１６ｄと太陽電池素子１６ｅとの間には間隙２２ｄが存在する。
【００７５】
本発明の太陽光発電装置によれば、このように複数個の太陽電池素子１６（１６ａ〜１６ｅ）を面状に並べた太陽電池モジュール１５において、さらにこれら各太陽電池素子１６（１６ａ〜１６ｅ）の間に発光体２３を配置し、これらの太陽電池素子１６を背面にして発光体２３を発光させるように成し、そして、さらにこれら複数個の太陽電池素子１６（１６ａ〜１６ｅ）と発光体２３との間に、この発光体２３の配置部位に対応して光透過孔Ｈを形成して成る耐候性フィルム１８を配設している。
【００７６】
図２に示すように、発光体２３から照射された光が耐候性フィルム１８の光透過孔Ｈを通過した後、太陽電池素子１６（１６ａ〜１６ｅ）の隙間２２（２２ａ〜２２ｄ）に充填された光透過性の充填材１９を透過し、さらに光透過板１７を透過し、この発光体２３の発光（輝度）が視認できる。一方、光透過孔Ｈを有する耐候性フィルム１８において、これら光透過孔Ｈのうち不要な箇所に対し、遮光部Ｓを設けて、使用者の所望どおりの発光状態となしている。
【００７７】
一例として、図３において、発光体２３と遮光部Ｓとの組合せ、さらに光透過孔Ｈを形成して成る耐候性フィルム１８、ならびに太陽電池モジュール１５という三者の配置構造を示す。
【００７８】
これに用いる遮光部Ｓとしては、たとえば材質は塩化ビニール（ＰＶＣ）やポリオフレン（ＰＯ）などからなる合成樹脂材がある。そして、天然ゴムや合成ゴム、アクリル系樹脂を粘着材として含み、相手に接着成分がくっつかないようにしている。
【００７９】
よって、このような材質の遮光部Ｓを用いることで、耐候性フィルム１８に対し着脱自在となる。そして、これら光透過孔のうち所要の光透過孔に対し遮光部Ｓを取去って、発光体２３の配置部位に対応して光透過孔Ｈを配するように成してもよい。
【００８０】
また、図４および図５により他の例を述べる。
【００８１】
複数個の太陽電池素子１６（１６ａ〜１６ｅ）をマトリックス状に配列した太陽電池モジュール１５であることで、各太陽電池素子１６（１６ａ〜１６ｅ）の隙間２２は、図４に示すごとく、格子状（同図中、斜線部分）に成る。また、図５は図４に示す構成において用いる耐候性フィルム１８の平面図である。
【００８２】
かかる構成の太陽光発電装置に係る太陽電池モジュール１５によれば、格子状の隙間２２に対し、どの部位に発光体２３を配置してもよく、これによって所要どおりの表示や装飾性が得られた。
【００８３】
また、表示や装飾のための発光体２３において、その発光の背面に非発光の太陽電池素子１６（１６ａ〜１６ｅ）を配置したことで、その輝度が高くなった。とくに青色や濃青色の太陽電池素子１６を、その発光の背面に配置した構成にしたことで、その輝度が顕著になった。
【００８４】
さらにまた、上記のごとく格子状の隙間２２によれば、発光体２３を配置した部位以外の領域においては、遮光部Ｓにより発光体２３の発光や外光が遮られているので、その分、輝度をさらに高めることができる。
【００８５】
本発明によれば、上記のような耐候性フィルム１８や遮光部Ｓを、発光体２３の輝度を高めるべく、たとえば灰色や黒っぽい色にしたことで、このような領域と比べても発光体２３の輝度が、よりいっそう顕著になる。
【００８６】
太陽電池素子１６と枠体２１との間に間隙２２を設けた構成の太陽電池モジュール１５においては、そのような間隙２２に対しても発光体２３を配置し、これによって、さらに表示性や装飾性を高めてもよい。
【００８７】
この点を図６により説明する。
【００８８】
図６は図４に示す切断面線Ａ−Ａによる断面図および切断面線Ｂ−Ｂによる断面図であって、図６でもって、双方の主要部分を一つの断面図にて示す。
【００８９】
なお、図６によれば、光透過孔Ｈに対する光の進入路を便宜的に示すために、遮光部Ｓを図示していないが、図２に示すごとく、光透過孔Ｈのうち不要な箇所に対し、遮光部Ｓを設けて、光を遮るように構成する。
【００９０】
図６に示す構成から明らかなとおり、外来光の光路によれば、矢印（破線）で示した外来光は光透過板１７を通過した後、太陽電池素子１６により遮られ、間隙２２の下にまで光が到達しにくくなり、これにより、間隙２２において、発光体２３の前面に周囲よりも暗い部分を作り出し、その結果、コントラストが生じ、発光体２３の発する光をより明るく視認させることができる。
【００９１】
しかも、耐候性フィルム１８の光透過孔Ｈに対し、遮光部Ｓを設けたことで、発光体２３の前面に周囲よりもさらに暗い部分を作り出し、発光体２３の発光を絞っているので、その分、輝度をさらに高めることができ、その結果、コントラストが顕著になり、発光体２３の発する光を一段と明るく視認させることができる。
【００９２】
以上のとおり、昼間などの外来光がある場合、発光体２３の輝度だけであれば、その発光が弱くなるが、さらに本発明のごとく、発光体２３の前方に遮光物（本発明における太陽電池素子１６や耐候性フィルム１８や遮光部Ｓに相当する）を配することで、発光体２３の発光が顕著になる。よって、発光体２３の数量を増やすこともなく、明るさを向上させ、これによって部品点数が削減でき、消費電力の低減化がはかられる。
【００９３】
参考までに、もし、発光体２３の前方に遮光物がない構造を想定した場合、すなわち、通常、ＬＥＤや電球などの発光体が発光した光を、外部に効率よく取り出すために、その発光体の周りに透明もしくは透光性のガラス材や樹脂材などで作成したカバーを設けることが考えられる。
【００９４】
しかしながら、昼間の太陽光の光などを受けた場合には、発光体が太陽光で照らされ、発光体全体の照度が高くなり、これにより、発光体の発光と周囲の明るさとの間にて差が少なくなり、その結果、コントラストが低くなるばかりか、ＬＥＤなどのように構造上発光部に反射鏡面を有するものでは、ＬＥＤの発光輝度よりも輝度の高い太陽光（散乱光を含む）も反射させることになり、より一層視認が低下する。
【００９５】
かくして本発明の太陽光発電装置によれば、上記構成の太陽電池モジュール１５のごとく、光透過孔Ｈを形成して成る遮光性シートもしくは遮光板を配設し、さらにこれら光透過孔Ｈのうち不要な箇所に対し、光を遮るべく遮光部Ｓを設けて、上記発光体２３の配置部位に対応して光透過孔Ｈを配するように成したが、このような構成に代えて、着脱自在の遮光部Ｓを配するように成した光透過孔Ｈを有する遮光性シートもしくは遮光板を配設し、さらにこれら光透過孔Ｈのうち所要の光透過孔Ｈに対し遮光部Ｓを取去って、上記発光体２３の配置部位に対応して光透過孔Ｈを配するように成してもよい。
【００９６】
また、本発明によれば、太陽光発電装置もしくは太陽電池モジュールの裏側が開放されているような設置形態において、その効果を顕著に奏する。
【００９７】
すなわち、図７に示すごとく、本発明の太陽光発電装置（太陽電池モジュール１５）と、この太陽光発電装置を固定する架台Ｋとを有し、さらにこのような太陽光発電装置（太陽電池モジュール１５）を、この下側より光入射されるように架台Ｋに取付ける構成において、矢印のような光の反射によって太陽電池モジュール裏面の光透過穴を通って外乱光が表面に視認されるという課題があり、このような課題に対し、有効に解消できる。
【００９８】
さらにまた、本発明によれば、このような遮光性シート（耐候性フィルム１８）もしくは遮光板を配設するに当り、これら光透過孔Ｈのうち不要な箇所に対し、光を遮るべく遮光部Ｓを設けて、発光体２３の配置部位に対応して光透過孔Ｈを配するように成したり、あるいは着脱自在の遮光部Ｓを配するように成した光透過孔Ｈを形成した遮光性シートもしくは遮光板を用いることで、これら光透過孔のうち所要の光透過孔に対し遮光部を取去って、上記発光体の配置部位に対応して光透過孔を配するように成し、その結果、さまざまな要望に応じた表示や装飾が得られ、汎用性を高める。そして、利用者が後日の発光位置を変更したいという要望があった場合に、そのような対応にも適用できる。
【００９９】
つぎに図８にて太陽光発電装置の発光体２３への配線を説明する。
【０１００】
同図においては、図９に示すごとく、住宅１の屋根などに本発明の太陽光発電装置を配置した場合でもって述べる。
【０１０１】
太陽電池モジュール１５（１５ａ〜１５ｄ）を有する太陽光発電装置では、家屋の屋根上から接続箱６に引き回される送電ケーブル２４（２４ａ〜２４ｄ）や接続箱６とパワーコンディショナ７とを接続する送電ケーブル２５とは別に、さらに発光体２３に電力を供給する送電線２６を設ける。
【０１０２】
具体的には商用電力系統２７からの交流電力を点灯制御回路２８に送り、さらに点灯制御回路２８から発光体２３を点灯（もしくは点滅）させる電力を送電線２６で送るものである。
【０１０３】
このような構成によれば、発光体２３への電力供給に対し、専用の電力線を使用しているので、発光体２３は直流による駆動でも、あるいは交流による駆動でもよい。
【０１０４】
したがって、発光体２３を電球からＬＥＤに変更したり、その逆への変更が容易におこなうことができる。
【０１０５】
なお、本例では商用電力系統２７から電力を取っているが、この商用電力系統に代えて、バッテリーや燃料電池などの直流電力源、もしくは昼間の発光であれば、太陽電池の発電電力から電力を取るようにしてもよい。
【０１０６】
つぎに本発明者はミノルタ株式会社製の色彩色差計を用いて、本発明の太陽光発電装置の受光面上に配し、昼間にて光源を点灯し、そして、輝度を測定した。
【０１０７】
本例においては、この色彩色差計の配置を発光させた発光体２３上、および太陽電池素子１６上に設定することで、それぞれの輝度を求め、さらにコントラストを評価した。
【０１０８】
この評価結果によれば、コントラストが顕著に高くなり、これによって昼間でも優れた表示性や装飾性が得られることがわかった。
【０１０９】
本発明者は、上記構成のごとく、複数個の太陽電池素子１６（１６ａ〜１６ｅ）をマトリックス状に配列した太陽電池モジュール１５ａ、１５ｂ、１５ｃ、１５ｄを使用した太陽光発電装置の実施例を（例１）〜（例４）にて説明する。これらの例を図１２〜図１５に示す。
【０１１０】
また、複数個の太陽電池素子１６（１６ａ〜１６ｅ）を千鳥状に配列した太陽電池モジュール１５ｅを使用した太陽光発電装置の実施例を（例５）にて説明する。この例を図１６に示す。なお、これら各図は太陽光発電装置の正面図である。
【０１１１】
（例１）
本例を図１２と図１９に示す。
【０１１２】
図１２は本発明の太陽光発電装置を一枚の太陽電池モジュール１５ａにて構成し、そして、１太陽電池モジュール中に複数の文字や数字を７セグメントなどの表示方法で表示させる。
【０１１３】
この太陽光発電装置（太陽電池モジュール１５ａ）によれば、複数個の太陽電池素子１６をマトリックス状に配列し、枠体２１でもって太陽電池モジュール１５ａの本体を支持している。また、図１９はこれに用いる遮光性シートもしくは遮光板ならびに遮光部Ｓである。
【０１１４】
そして、これら太陽電池素子１６の間の隙間２２に発光体２３を配列し、所要の表示に応じて点灯する。
【０１１５】
上記構成の太陽光発電装置の太陽電池モジュール１５ａによれば、格子状の隙間２２に対し、その隙間２２にそって発光体２３を配列し、７セグメント表示させる。
【０１１６】
図１２は日時を表示するように成している。この太陽電池モジュール１５ａの上段に日付「１２日」を示し、下段に時間「１９：００」を示す。
【０１１７】
これら表記には、７セグメントなどの表示方法にしたがって発光体を配置し、本例によれば、黒点にて発光体２３の発光を示す。
【０１１８】
かくして本発明の太陽光発電装置によれば、７セグメント表示の発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【０１１９】
なお、本例では枠体２１を有する太陽電池モジュールとしているが、枠体を廃し、支持部材に固定カバー等で固定される取り付け構造としてもよい。
【０１２０】
（例２）
本例を図１３と図２０に示す。
【０１２１】
図１３に示す太陽光発電装置によれば、複数の太陽電池モジュール１５ｂを配列し、それぞれの太陽電池モジュール１５ｂでもって、個々の文字や数字、アルファベットなどを表記する。図２０はこれに用いる遮光性シートもしくは遮光板ならびに遮光部Ｓである。
【０１２２】
本例においては、４枚の太陽電池モジュール１５ｂにて構成し、そして、「ＫＯＢＥ」と表記した場合である。
【０１２３】
この太陽光発電装置によれば、複数個の太陽電池素子１６をマトリックス状に配列した太陽電池モジュール１５ｂを、４個配列し、それぞれの太陽電池モジュール１５ｂに対し、表示文字に対応して発光体２３の配置部位を固定している。
【０１２４】
かくして本発明の太陽光発電装置によれば、表示文字に対応して配置した発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【０１２５】
（例３）
本例を図１４と図２１に示す。
【０１２６】
図１４に示す太陽光発電装置によれば、複数の太陽電池モジュール１５ｃを配列し、これらにて一つの文字や数字、アルファベットなどを表記する。図２１はこれに用いる遮光性シートもしくは遮光板ならびに遮光部Ｓである。
【０１２７】
本例においては、複数個の太陽電池素子１６をマトリックス状に配列した２枚の太陽電池モジュール１５ｃにて構成し、そして、「京」と表記した場合である。なお、表示文字に対応して発光体２３の配置部位を固定している。
【０１２８】
かくして本発明の太陽光発電装置によれば、表示文字に対応して配置した発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【０１２９】
本例の太陽光発電装置においては、複数の太陽電池モジュール１５ｃに跨って１文字を表示していることで、複雑な漢字などの表示が容易になる。
【０１３０】
また、本例では枠体を廃し、支持部材に固定カバー等で固定される取り付け構造としたが、このような構造にしたことで、複数の太陽電池モジュールの文字が連続して見え、文章を作るのに好適である。
【０１３１】
（例４）
上述した（例１）〜（例３）の太陽光発電装置においては、矩形状の太陽電池モジュールを用いたが、これに代えて三角形状の太陽電池モジュールを用いた太陽光発電装置を図１５にて説明する。
【０１３２】
同図に示す太陽光発電装置によれば、一個の三角形状の太陽電池モジュール１５ｄに対し、その内部に複数個の太陽電池素子１６をマトリックス状に配列し、さらに、枠体２１でもって太陽電池モジュール１５ｄの本体を支持している。
【０１３３】
なお、同図において、発光体２３の配置部位は略記する。
【０１３４】
かくして本発明の太陽光発電装置によれば、表示性や装飾性のある発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【０１３５】
また、本例の太陽光発電装置においては、三角形状の太陽電池モジュール１５ｄを用いたことで、その表示性能が高くなり、装飾性が向上し、さまざまな機能に適用できた。
【０１３６】
（例５）
上述した（例１）〜（例３）の太陽光発電装置においては、矩形状の太陽電池モジュールを用いたが、これに代えて図１６に示すごとく、円形状の太陽電池モジュール１５ｅを製作し、さらに複数個の太陽電池素子１６を千鳥状に配列し、さらに、枠体２１でもって太陽電池モジュール１５ｅの本体を支持している。
【０１３７】
なお、同図において、発光体２３の配置部位は略記する。
【０１３８】
かくして本発明の太陽光発電装置によれば、表示性や装飾性のある発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【０１３９】
また、本例の太陽光発電装置においては、円形状の太陽電池モジュール１５ｅを用いたことで、その表示性能が高くなり、装飾性が向上し、さまざまな機能に適用できた。
【０１４０】
（例６：比較例）
本例を図１７と図１８に示す。
【０１４１】
図１７は本例の太陽光発電装置に用いる太陽電池モジュール２９の斜視図であり、図１８はその要部拡大断面図である。
【０１４２】
本例によれば、前述したごとく、上記構成の太陽電池モジュール１５において、発光体２３をこれら各太陽電池素子１６の間に配置しないで、図１７に示すように、これらマトリックス状の太陽電池素子１６の外側に発光体２３を配置した太陽電池モジュール２９を複数個作製した。
【０１４３】
たとえば各太陽電池モジュール２９の間だけに配置した場合において、さらに図１８に示すように、光透過板１７の上に発光体２３を配置している。
【０１４４】
このような構成の太陽光発電装置によれば、各太陽電池モジュール２９に対し、矢印のように太陽光が照射し、そして、反射され、発光体２３の周辺や発光体２３の内部にも高輝度の部分を作り出すが、このような高輝度部分でもって、発光体２３はその発光に照らされる。
【０１４５】
かくして本例の太陽光発電装置によれば、マトリックス状の太陽電池素子１６の外側に発光体２３を配置したことで、本発明のごとく、その発光の背面に非発光の太陽電池素子１６を配置した構成にならず、これにより、その輝度の向上が望めなかった。
【０１４６】
加えて、本例によれば、発光体２３を光透過板１７の上に配置したことで、上述のごとく、発光体２３が照らされ、これにより、発光体２３に対し、これら太陽電池素子１６が、コントラストが高められる程度にまで十分に近接しないことで、発光体２３の輝度の向上が望めなかった。
【０１４７】
（例７）
本例の太陽光発電装置においては、（例１）〜（例５）に示す各太陽光発電装置に対し、図１８に示すごとく、発光体２３の配置を受光面側に、すなわち発光体２３を光透過板１７の上に配置している。なお、その他の構成については、これら各例に示すとおりである。
【０１４８】
このように発光体２３を光透過板１７の上に配置したことで、発光体２３が照らされたが、他方、各太陽電池素子１６の間に太陽電池素子１６を背面にして発光体２３を配置したことで、その太陽電池素子１６の色調が背面となって、発光体２３の輝度を高めることでき、このような輝度向上によりコントラストを向上させることができた。
【０１４９】
また、本発明に用いる太陽電池素子によれば、青色や濃青色の太陽電池素子１６を、その発光の背面に配置した構成にしたことで、昼間でも、その輝度が顕著になったが、これに代えて本発明者は茶色、赤色、紺色、黒色、灰色、緑色、金色、紫色、赤紫色などを呈した太陽電池素子を用いても本発明の作用効果を奏することを実験により確認した。
【０１５０】
なお、本発明は上記実施形態例に限定されるものではなく、本発明の要旨を逸脱しない範囲内で種々の変更や改良等はなんら差し支えない。
【０１５１】
たとえば（例４）や（例７）の太陽光発電装置においては、三角形状の太陽電池モジュールを用いたが、これに代えて台形状もしくは多角形状にしてもよい。
【０１５２】
さらに（例５）や（例７）の太陽光発電装置においては、円形状の太陽電池モジュールを用いたが、これに代えて楕円形状にしてもよい。
【０１５３】
さらにまた、（例１）〜（例４）の太陽光発電装置においては、太陽電池素子１６をマトリックス状に配列したが、これに代えて千鳥状に配列してもよく、あるいは（例５）の太陽光発電装置においては、太陽電池素子１６を千鳥状に配列したが、これに代えてマトリックス状に配列してもよい。（例７）の太陽光発電装置についても同様に配列変更してもよい。
【図面の簡単な説明】
【０１５４】
【図１】本発明の太陽光発電装置の太陽電池モジュールを模式的に説明する概略断面図である。
【図２】本発明に係る太陽電池モジュールの要部拡大図である。
【図３】本発明に係る発光体と遮光部との組合せ、さらに光透過孔を形成して成る遮光性シートもしくは遮光板、ならびに太陽電池モジュールという三者の配置構造を示す斜視図である。
【図４】本発明に係る太陽電池モジュールにおける発光体の取り付け可能な領域を示す正面図である。
【図５】本発明に係る遮光性シートもしくは遮光板の正面図である。
【図６】本発明の太陽光発電装置の太陽電池モジュールにおいて、外来光の光反射状態ならびに光透過孔による光透過の様子を説明する一部透視図である。
【図７】本発明の太陽光発電システムを示す斜視図である。
【図８】本発明の太陽光発電装置に係る発光体への配線を説明する配線図である。
【図９】住宅の屋根に本発明の太陽光発電装置を配置した斜視図である。
【図１０】従来の太陽光発電装置に係る太陽電池モジュールの概略断面図である。
【図１１】従来の他の太陽光発電装置に係る太陽電池モジュールの概略断面図である。
【図１２】本発明の太陽光発電装置に係る太陽電池モジュールにおいて表示例を示す正面図である。
【図１３】本発明の太陽光発電装置に係る太陽電池モジュールにおいて他の表示例を示す正面図である。
【図１４】本発明の太陽光発電装置に係る太陽電池モジュールにおいて、さらに他の表示例を示す正面図である。
【図１５】本発明の太陽光発電装置に係る太陽電池モジュールにおいて、三角形状の太陽電池モジュールを示す正面図である。
【図１６】本発明の太陽光発電装置に係る太陽電池モジュールにおいて、円形状の太陽電池モジュールを示す正面図である。
【図１７】比較例の太陽光発電装置に用いる太陽電池モジュールの斜視図である。
【図１８】太陽光発電装置に用いる太陽電池モジュールの要部拡大断面図である。
【図１９】遮光性シートもしくは遮光板の一例を示す平面図である。
【図２０】遮光性シートもしくは遮光板の一例を示す平面図である。
【図２１】遮光性シートもしくは遮光板の一例を示す平面図である。
【符号の説明】
【０１５５】
２・・・太陽光発電装置
４、１５、１５ａ、１５ｂ、１５ｃ、１５ｄ、１５ｅ・・・太陽電池モジュール
８、１６、１６ａ、１６ｂ、１６ｃ、１６ｄ、１６ｅ・・・太陽電池素子
９、１７・・・光透過板
１１、２１・・・枠体
１８・・・耐候性フィルム
１９・・・充填材
２０・・・ジャンクションボックス
２２、２２ａ、２２ｂ、２２ｃ、２２ｄ・・・間隙
２３、２３ａ、２３ｂ、２３ｃ、２３ｄ、２３ｅ・・・発光体
Ｓ・・・遮光部
Ｈ・・・光透過孔
【図１】
2005136111.tif 000003
【図２】
2005136111.tif 000004
【図３】
2005136111.tif 000005
【図４】
2005136111.tif 000006
【図５】
2005136111.tif 000007
【図６】
2005136111.tif 000008
【図７】
2005136111.tif 000009
【図８】
2005136111.tif 000010
【図９】
2005136111.tif 000011
【図１０】
2005136111.tif 000012
【図１１】
2005136111.tif 000013
【図１２】
2005136111.tif 000014
【図１３】
2005136111.tif 000015
【図１４】
2005136111.tif 000016
【図１５】
2005136111.tif 000017
【図１６】
2005136111.tif 000018
【図１７】
2005136111.tif 000019
【図１８】
2005136111.tif 000020
【図１９】
2005136111.tif 000021
【図２０】
2005136111.tif 000022
【図２１】
2005136111.tif 000023